(57)【要約】【課題】収容物を汚染することなく容易に取り出せる医療用容器を提供する。【解決手段】対向して配置された一組のシート状部材５０，５０の周縁が接合されて形成された医療用容器１であって、幅方向ＷＤの中央部に配置される収容部１０と、収容部１０の高さ方向ＨＤの一端側に配置され、収容部１０から幅方向の外側に向かって延出する一対の延出部２０と、を備える。医療用容器１は、収容部１０と一対の延出部２０との境界部分において、高さ方向ＨＤの他端側から一端側に延びて収容部１０と延出部２０とを区画する区画接合部３０を備えることが好ましい。【選択図】図１
2020199108.tif 000002
【特許請求の範囲】
【請求項１】
対向して配置された一組のシート状部材の周縁が接合されて形成された医療用容器であって、
幅方向の中央部に配置される収容部と、
前記収容部の高さ方向の一端側に配置され、該収容部から幅方向の外側に向かって延出する一対の延出部と、を備える医療用容器。
【請求項２】
前記周縁の一部に形成される収容用開口部を更に備える請求項１に記載の医療用容器。
【請求項３】
前記収容部と一対の前記延出部との境界部分において、前記高さ方向の他端側から一端側に延びて前記収容部と前記延出部とを区画する区画接合部を備える請求項１又は２に記載の医療用容器。
【請求項４】
前記区画接合部の高さ方向の一端側の端部の位置は、収容物を前記収容部に収容した状態における該収容物の高さ方向の一端部よりも他端側に位置する請求項３に記載の医療用容器。
【請求項５】
前記収容部において、該収容部に収容された収容物の位置を規制する規制接合部を更に備える請求項１〜４のいずれかに記載の医療用容器。
【請求項６】
前記収容部において、該収容部に収容された収容物の位置を規制する規制接合部を更に備え、
前記収容用開口部は、前記収容部における前記規制接合部が配置された側の縁に形成される請求項２に記載の医療用容器。
【請求項７】
前記延出部の高さ方向の長さは、前記収容部の高さ方向の長さよりも短い請求項１〜６のいずれかに記載の医療用容器。
【請求項８】
前記延出部の高さ方向の他端側の辺は、幅方向の端部から前記収容部に向かって高さ方向の一端側に傾斜している請求項７に記載の医療用容器。
【発明の詳細な説明】
【技術分野】
【０００１】
本発明は、医療用容器に関する。
【背景技術】
【０００２】
従来、医療に用いられる器具や製剤等は、外界からの保護及び汚染の防止のため、樹脂製の容器により密封された状態で保存及び運搬される（例えば、特許文献１参照）。そして、これら器具や製剤等の収容物を使用する場合には、不潔野と清潔野とが区分された手術室等において不潔野の担当者により容器が開封され、収容物は清潔野の担当者により容器から取り出される。
【先行技術文献】
【特許文献】
【０００３】
【特許文献１】特表２０１５−５０９３８６号公報
【発明の概要】
【発明が解決しようとする課題】
【０００４】
ここで、容器の外側は、外界と接触しているため不潔野に区分される。また、容器の開封部分である開口部も汚染されていると考えられる。そのため、開口部に接触することなく容器から収容物を取り出せることが望ましい。
【０００５】
従って、本発明は、収容物を汚染することなく容易に取り出せる医療用容器を提供することを目的とする。
【課題を解決するための手段】
【０００６】
本発明は、対向して配置された一組のシート状部材の周縁が接合されて形成された医療用容器であって、幅方向の中央部に配置される収容部と、前記収容部の高さ方向の一端側に配置され、該収容部から幅方向の外側に向かって延出する一対の延出部と、を備える医療用容器に関する。
【０００７】
また、医療用容器は、周縁の一部に形成される収容用開口部を更に備えることが好ましい。
【０００８】
また、医療用容器は、前記収容部と一対の前記延出部との境界部分において、前記高さ方向の他端側から一端側に延びて前記収容部と前記延出部とを区画する区画接合部を備えることが好ましい。
【０００９】
また、前記区画接合部の高さ方向の一端側の端部の位置は、収容物を前記収容部に収容した状態における該収容物の高さ方向の一端部よりも他端側に位置することが好ましい。
【００１０】
また、医療用容器は、前記収容部において、該収容部に収容された収容物の位置を規制する規制接合部を更に備えることが好ましい。
【００１１】
また、医療用容器は、前記収容部において、該収容部に収容された収容物の位置を規制する規制接合部を更に備え、前記収容用開口部は、前記収容部における前記規制接合部が配置された側の縁に形成されることが好ましい。
【００１２】
また、前記延出部の高さ方向の長さは、前記収容部の高さ方向の長さよりも短いことが好ましい。
【００１３】
また、前記延出部の高さ方向の他端側の辺は、幅方向の端部から前記収容部に向かって高さ方向の一端側に傾斜していることが好ましい。
【発明の効果】
【００１４】
本発明の医療用容器によれば、収容物を汚染することなく容易に取り出せる。
【図面の簡単な説明】
【００１５】
【図１】本発明の第１実施形態に係る医療用容器を示す平面図である。
【図２】第１実施形態に係る医療用容器に収容物が収容された状態を示す平面図である。
【図３】図１のＸ−Ｘ線断面図である。
【図４】第１実施形態に係る医療用容器の使用方法を示す図であり、医療用容器の上端部を切断して開封した状態を示す図である。
【図５】第１実施形態に係る医療用容器の使用方法を示す図であり、一対の延出部を持った状態を示す図である。
【図６】第１実施形態に係る医療用容器の使用方法を示す図であり、一対の延出部を持ち、開口部において一組のシート状部材を反転させた状態を示す図である。
【図７】本発明の第２実施形態に係る医療用容器を示す平面図であり、医療用容器に収容物が収容された状態を示す平面図である。
【図８】第１実施形態に係る医療用容器における収容用開口部の変形例を示す平面図である。
【発明を実施するための形態】
【００１６】
以下、本発明の医療用容器の好ましい各実施形態につき、図面を参照しながら説明する。まず、第１実施形態の医療用容器の構成につき、図１〜図３を参照しながら説明する。
医療用容器は、医療に用いられる器具や製剤等を収容物として収容し、収容物を汚染から守って衛生状態を維持させるために用いられる。第１実施形態の医療用容器１は、再生医療等に用いられる細胞を収容した収容容器６０を収容物として収容する。
【００１７】
医療用容器１は、図１〜図３に示すように、対向して配置された一組（２枚）のシート状部材５０，５０（図３参照）の周縁が、収容物を収容するための収容用開口部７０（図１においては上辺部分）を除いてヒートシールや超音波接合により接合されて袋状に形成される。シート状部材５０は、可撓性を有する熱可塑性樹脂により構成される。シート状部材を構成する材料としては、ＥＶＡ樹脂（エチレン−酢酸ビニル共重合樹脂）、ポリエチレンやポリプロピレン等のポリオレフィン、塩化ビニル等が挙げられる。本実施形態では、シート状部材５０は、ＥＶＡ樹脂により構成される。シート状部材５０をＥＶＡ樹脂により構成することにより、医療用容器１を凍結保存した場合においても柔軟性を維持でき、医療用容器１が低温下において破損することを防げる。
【００１８】
医療用容器１は、図１〜図３に示すように、収容部１０と、一対の延出部２０と、一対の区画接合部３０と、規制接合部４０と、収容用開口部７０と、を備える。
【００１９】
収容部１０は、図１及び図２に示すように、幅方向ＷＤの長さが高さ方向ＨＤの長さよりも短い矩形形状に形成され、医療用容器１の幅方向ＷＤの中央部に配置される。収容部１０には、無菌状態が保たれた医療に用いられる器具や製剤等が収容物として収容される。本実施形態では、図２に示すように、収容部１０には、再生医療に用いられる細胞が収容された筒状の収容容器６０が収容される。収容容器６０は、一端側が開口した筒状の本体部６１及び本体部６１に着脱可能に取り付けられるキャップ６２を備え、キャップ６２が医療用容器１の高さ方向ＨＤの一端側である上端側に位置するように、収容部１０に収容される。本実施形態では、図２に示すように、収容部１０の幅方向ＷＤの長さＷ１は、収容容器６０の幅Ｗ２よりも大きく構成される。
【００２０】
尚、本明細書において、収容部１０及び一対の延出部２０の並ぶ方向（図１における左右方向）を医療用容器１の幅方向ＷＤ、幅方向ＷＤに交差する方向であってシート状部材５０の面方向に沿う方向（図１における上下方向）を高さ方向ＨＤ、一組のシート状部材５０，５０の重ね合わせ方向（図３における上下方向）を厚さ方向ＴＤとする。
【００２１】
一対の延出部２０は、収容部１０から幅方向ＷＤの外側に向かって延出する。延出部２０は、高さ方向ＨＤに沿う側辺、及び高さ方向ＨＤの他端端の辺である底辺において一組のシート状部材５０が接合されており、その他の部分においては、一組のシート状部材５０は接合されていない。
延出部２０は、収容部１０の高さ方向ＨＤの一端側に配置される。図１に示すように、延出部２０の高さ方向ＨＤの長さＨ１は、収容部１０の高さ方向ＨＤの長さＨ２よりも短く構成される。また、延出部２０の底辺は、幅方向ＷＤの端部から収容部１０に向かって高さ方向ＨＤの一端側に傾斜している。即ち、延出部２０の底辺は、幅方向ＷＤの端部から収容部１０に向かって上り傾斜した直線状に形成される。
【００２２】
延出部２０の底辺と収容部１０の高さ方向ＨＤに沿う側辺とのなす角度θは、０°〜９０°であることが好ましい。
【００２３】
一対の区画接合部３０は、一組のシート状部材５０が接合されることにより形成され、収容部１０と一対の延出部２０との境界部分において、医療用容器１の高さ方向ＨＤの他端側から一端側に延びて収容部１０と延出部２０とを区画する。本実施形態では、区画接合部３０は、収容部１０の高さ方向ＨＤに沿う側辺が一端側（上端側）に延びて形成される。即ち、区画接合部３０は、収容部１０の高さ方向ＨＤに沿う側辺の延長線上に配置される。区画接合部３０は、収容部１０と一対の延出部２０とを完全には区画せず、一部を区画する。即ち、収容部１０と延出部２０とは、高さ方向ＨＤの一端側（上端側）においては連通した部分を有している。
【００２４】
区画接合部３０の高さ方向ＨＤの一端側（上端側）の端部の位置３０ａは、収容容器６０を収容部１０に収容した状態における収容容器６０の高さ方向ＨＤの一端部（上端部）６０ａよりも他端側（下端側）に位置する。また、区画接合部３０の高さ方向ＨＤの一端側（上端側）の端部の位置３０ａから医療用容器１の取出し用の開口部までの長さＨ０を適当な寸法／長さとすることで、後述するシート状部材５０の反転を容易に行うことができる。
【００２５】
規制接合部４０は、一組のシート状部材５０が接合されることにより形成され、収容部１０に収容された収容容器６０の位置を規制する。本実施形態では、規制接合部４０は、収容部１０の幅方向ＷＤの中央部において、幅方向ＷＤに所定間隔をあけて高さ方向ＨＤに直線状に延びる２本の接合部により形成される。また、規制接合部４０は、収容部１０の高さ方向ＨＤの他端側の辺である底辺から所定高さ延びて形成される。
規制接合部４０を構成する２本の接合部の間の幅方向ＷＤの長さＷ３は、収容容器６０の大きさ（幅）Ｗ２よりもわずかに大きく設定される。
【００２６】
収容用開口部７０は、一組のシート状部材５０の周縁の一部が接合されずに形成される。第１実施形態では、収容用開口部７０は、高さ方向の一端側（上端側）の辺の全長に亘って形成される。
【００２７】
以上説明した第１実施形態の医療用容器１は、以下のようにして使用される。
医療用容器１に収容容器６０を収容する場合には、収容用開口部７０が形成される高さ方向ＨＤの一端側の辺である上辺を除く各辺が接合された状態の医療用容器１に、収容用開口部７０から細胞が収容された収容容器６０が収容される。ここで、収容容器６０は、キャップ６２が上端側に位置するように、規制接合部４０を構成する２本の接合部の間に差し込まれ、収容部１０に位置決めされた状態で収容される。その後、医療用容器１の上辺が接合され、収容容器６０は、密閉された状態で医療用容器１に収容される。この状態において、収容容器６０の上端部６０ａは、区画接合部３０の上端部３０ａよりも上端側に位置している（図２参照）。
【００２８】
収容容器６０に収容された細胞は、使用されるまでの間、医療用容器１に収容され、密閉された状態で凍結保存される。ここで、医療用容器１をＥＶＡ樹脂により構成することにより、医療用容器１を凍結保存した場合においても柔軟性を維持でき、医療用容器１が低温下において破損することを防げる。
【００２９】
収容容器６０に収容された細胞を使用する場合、医療用容器１に収容された状態で、不潔野と清潔野とが区分された手術室等に運搬される。そして、医療用容器１は、不潔野の担当者により開封され、収容容器６０は清潔野の担当者により医療用容器１から取り出される。
【００３０】
医療用容器１から収容容器６０を取り出す手順につき、図４〜図６を参照しながら説明する。
まず、図４に示すように、不潔野の担当者により、医療用容器１の上辺側がはさみ等により切断される。これにより、医療用容器１の上辺側に取り出し用の開口部が形成される。ここで、医療用容器１の上辺側の切断位置は、切断後に区画接合部３０の上端部３０ａと取出し用の開口部の端部とのなす角度θ０（図４参照）が、９０°〜１６０°となる位置とすることが好ましく、１００°〜１４０°となる位置とすることがより好ましい。
【００３１】
次いで、図５に示すように、一対の延出部２０が不潔野の担当者により保持される。ここで、一対の延出部２０は、周縁部（側辺及び底辺）を除いて一組のシート状部材５０は接合されていないので、不潔野の担当者は、一対の延出部２０に、開口部からそれぞれ例えば親指を挿入すると共に、挿入した親指と人差し指とで１枚のシート状部材５０を挟むことで、延出部２０を保持できる。
また、延出部２０と収容部１０との間には、区画接合部３０が配置されているので、延出部２０を保持するときに、不潔野の担当者の指が収容部１０側に侵入することを防げる。
【００３２】
次いで、図６に示すように、一対の延出部２０が不潔野の担当者により保持された状態で、開口部において、一組のシート状部材５０，５０が反転される。より具体的には、一対の延出部２０において、一組のシート状部材５０，５０の間に挿入した親指とシート状部材５０の外側に配置された人差し指とにより挟まれたシート状部材５０の表裏を反転させることで、開口部近傍のシート状部材５０の表裏が反転される。これにより、開口部近傍においては、外界にさらされていない清潔なシート状部材５０の内面が外側に露出する。この状態において、清潔野の担当者により、収容容器６０が衛生的に取り出される。
【００３３】
ここで、本実施形態では、医療用容器１を、収容部１０と、収容部１０から幅方向ＷＤの外側に向かって延出する一対の延出部２０と、を含んで構成した。これにより、開口部の幅方向ＷＤの長さを長く確保できる。よって、一対の延出部２０を両手で持って、一組のシート状部材５０，５０を開口部において容易に反転させられるので、汚染されていないシート状部材５０の内面を露出させた状態で収容部１０に収容された収容容器６０を取り出せる。
【００３４】
また、延出部２０の高さ方向ＨＤの長さＨ１を、収容部１０の高さ方向ＨＤの長さＨ２よりも短く構成した。また、延出部２０の底辺を、幅方向ＷＤの端部から収容部１０に向かって上り傾斜させた。これにより、開口部においてシート状部材５０を反転させるときに、延出部２０が収容部１０に干渉しにくくできるので、シート状部材の反転動作をスムーズに行える。
【００３５】
また、一組のシート状部材５０，５０を開口部において反転させる場合に、区画接合部３０の上端部３０ａをシート状部材５０の曲げ起点として反転させられるので、一組のシート状部材５０，５０をより安定的に反転させられる。つまり、シート状部材５０を開口部において反転させようとした場合に、一組のシート状部材５０，５０が共に厚さ方向ＴＤの一方に折れ曲がってしまい、開口部が閉じられてしまうことを防げる。
また、区画接合部３０の上端部の位置３０ａを、収容容器６０を収容部１０に収容した状態における収容容器６０の上端部６０ａよりも下端側に位置させた。これにより、シート状部材５０を開口部において反転させた場合に、収容容器６０の端部を開口部から突出させた状態にできる。よって、収容容器６０をより容易かつ衛生的に取り出せる。
【００３６】
以上説明した第１実施形態の医療用容器１によれば、以下のような効果を奏する。
【００３７】
（１）医療用容器１を、一組のシート状部材５０，５０の周縁を接合して形成すると共に、収容部１０と、この収容部１０の高さ方向ＨＤの一端側に配置されると共に収容部１０から幅方向ＷＤの外側に向かって延出する一対の延出部２０と、を含んで構成した。これにより、医療用容器１の高さ方向ＨＤの一端側をはさみ等で開封して医療用容器１に収容された収容容器６０を取り出す場合に、はさみ等で開封されて形成された開口部の幅方向の長さを長く確保できる。よって、一対の延出部２０を両手で持って、一組のシート状部材５０，５０を開口部において容易に反転させられるので、汚染されていないシート状部材５０の内面を露出させた状態で収容部１０に収容された収容容器６０を取り出せる。その結果、収容容器６０を汚染することなく容易に取り出せる。また、一対の延出部２０において一組のシート状部材５０，５０の間に指を挿入して一組のシート状部材５０，５０を反転させることで、収容部１０に指が接触しないので、収容容器６０をより衛生的に取り出せる。
【００３８】
（２）医療用容器１を、高さ方向ＨＤの他端側から一端側に延びて収容部１０と延出部２０とを区画する区画接合部３０を含んで構成した。これにより、一組のシート状部材５０，５０を開口部において反転させる場合に、区画接合部３０の端部をシート状部材５０の曲げ起点として反転させられるので、一組のシート状部材５０，５０をより安定的に反転させられる。つまり、シート状部材５０を開口部において反転させようとした場合に、一組のシート状部材５０，５０が共に厚さ方向ＴＤの一方に折れ曲がってしまい、開口部が閉じられてしまうことを防げる。また、一対の延出部２０において一組のシート状部材５０，５０の間に指を挿入して一組のシート状部材５０，５０を反転させる場合に、挿入した指が収容部１０側に移動することを防げるので、収容容器６０を一層衛生的に取り出せる。
【００３９】
（３）区画接合部３０の高さ方向ＨＤの一端側の端部（上端部）の位置３０ａを、収容容器６０を収容部１０に収容した状態における収容容器６０の高さ方向ＨＤの一端部（上端部）６０ａよりも他端側（下側）に位置させた。これにより、シート状部材５０を開口部において反転させた場合に、収容容器６０の端部を開口部から突出させた状態にできる。よって、収容容器６０をより容易かつ衛生的に取り出せる。
【００４０】
（４）医療用容器１を、収容部１０に収容された収容容器６０の位置を規制する規制接合部４０を含んで構成した。これにより、収容部１０の幅を収容物の幅よりも広く構成した場合であっても、収容部１０に収容された収容容器６０を位置決めできるので、収容容器６０を取り出すときに、収容容器６０の先端を開口部から好適に突出させられる。よって、収容容器６０の取り出し性をより向上させられる。
【００４１】
（５）延出部２０の高さ方向ＨＤの長さＨ１を、収容部１０の高さ方向ＨＤの長さＨ２よりも短く構成した。これにより、延出部２０の高さ方向ＨＤの他端側（下端側）の位置を、収容部１０の高さ方向ＨＤの他端側（下端側）の位置よりも高くできる、よって、開口部においてシート状部材５０を反転させるときに、延出部２０が収容部１０に干渉しにくくできるので、シート状部材５０の反転動作をスムーズに行える。
【００４２】
（６）延出部２０の高さ方向ＨＤの他端側（下端側）の辺を、幅方向ＷＤの端部から収容部１０に向かって一端側（上端側）に傾斜させた。これにより、開口部においてシート状部材５０を反転させるときに、延出部２０を収容部１０により干渉しにくくできるので、シート状部材５０の反転動作をよりスムーズに行える。また、延出部２０の面積を、特に幅方向ＷＤの外側において十分に確保できるので、シート状部材５０を反転させるときに、延出部２０を親指と人差し指とでしっかりと保持できる。よって、シート状部材５０を反転させるときの操作性を向上させられる。
【００４３】
次に、本発明の第２実施形態に係る医療用容器１Ａにつき、図７を参照しながら説明する。尚、第２実施形態の説明にあたって、同一構成要件については同一符号を付し、その説明を省略もしくは簡略化する。
第２実施形態の医療用容器１Ａは、主として、区画接合部及び規制接合部を備えない点で、第１実施形態と異なる。第２実施形態の医療用容器１Ａでは、図７に示すように、収容部１０Ａの幅方向ＷＤの長さは、収容物としての収容容器６０の幅よりわずかに大きく構成される。これにより、収容容器６０は、収容部１０Ａに位置決めされた状態で収容される。
また、第２実施形態では、医療用容器１Ａを開封して開口部においてシート状部材５０を反転させるときには、収容部１０Ａと延出部２０との境界部分の接合部が曲げ起点となって、シート状部材５０が反転される。
第２実施形態の医療用容器１Ａによれば、上述した（１）、（５）、（６）の効果を奏する。
【００４４】
以上、本発明の医療用容器の好ましい各実施形態について説明したが、本発明は、上述した実施形態に制限されるものではなく、適宜変更が可能である。
例えば、第１実施形態及び第２実施形態では、細胞を収容する収容容器６０を収容物として収容したが、これに限らない。即ち、ピンセット等の医療に用いられる器具を収容物として収容してもよい。
【００４５】
また、第１実施形態では、収容用開口部７０を、医療用容器１の上辺の全長に亘って形成したが、これに限らない。即ち、収容用開口部を、医療用容器の上辺における収容部に対応する部分のみに形成し、上辺における延出部に対応する部分は接合しておいてもよい。これにより、収容用開口部の開口長さを短くできるので、収容物を収容する場合における医療用容器の内部の汚染のリスクを低減できる。
【００４６】
また、図８に示すように、収容用開口部７０Ｂを、医療用容器１Ｂの下辺（高さ方向ＨＤの他端側の辺）に形成してもよい、この場合、収容用開口部７０Ｂは、下辺における一対の規制接合部４０の間の部分にのみ形成してもよい。収容用開口部７０Ｂを医療用容器１Ｂの下辺に形成することで、収容部１０（一対の規制接合部４０の間）に収容物を配置しやすくできる。また、収容用開口部７０Ｂを一対の規制接合部４０の間の部分にのみ形成することで、収容用開口部７０Ｂの開口長さをより短くできるので、収容物を収容する状態における医療用容器１Ｂの内部の汚染のリスクをより低減できる。尚、この場合、収容用開口部を、収容部１０の下辺の全長に亘って形成してもよい。
【符号の説明】
【００４７】
１，１Ａ，１Ｂ  医療用容器
１０，１０Ａ  収容部
２０  延出部
３０  区画接合部
４０  規制接合部
５０  シール部材
６０  収容容器（収容物）
７０，７０Ｂ  収容用開口部
【図１】
2020199108.tif 000003
【図２】
2020199108.tif 000004
【図３】
2020199108.tif 000005
【図４】
2020199108.tif 000006
【図５】
2020199108.tif 000007
【図６】
2020199108.tif 000008
【図７】
2020199108.tif 000009
【図８】
2020199108.tif 000010